(57)【特許請求の範囲】
【請求項１】
ケース（１０）に電気部品（２０）を収納し、電気部品（２０）に接続された電極板（３０）の端子部（３１）を、ケース壁部に設けられた第１の貫通孔（１４）及びこの第１の貫通孔（１４）をケース壁部の外側から覆う樹脂貯め部（１５）に設けられた第２の貫通孔（１９）に挿通させることで、ケース（１０）の外部に引き出すとともに、上記第１の貫通孔（１４）と端子部（３１）との間の隙間に樹脂（４０）を介在させ、さらにケース（１０）内に樹脂（５０）を充填してなる樹脂封止電気部品。
【請求項２】
上記第２の貫通孔（１９）は、ケース壁部とは反対側に向かって孔径を徐々に拡大させる拡大傾斜部（１９ｂ）を備えている請求項１に記載の樹脂封止電気部品。
【請求項３】
ケース開口部（１３）と対向するケース底部（１１）に、上記第１の貫通孔（１４）及び樹脂貯め部（１５）を設けている請求項１又は２に記載の樹脂封止電気部品。
【発明の詳細な説明】
【技術分野】
【０００１】
この発明は、端子部をケース外部に引き出すとともにケースに樹脂を充填した樹脂封止電気部品に関する。
【背景技術】
【０００２】
コンデンサ素子等の電気部品をケースに収納し樹脂を充填してなるコンデンサにおいて、電気部品に接続された電極板の端子部をケース壁部に設けられた貫通孔からケース外部に引き出すことは、例えば特許文献１に開示されているように従来から行われている。
【０００３】
ところで、上記構成のコンデンサでは、ケース内に樹脂を充填した際、貫通孔と端子部との間に生じた隙間から樹脂が漏れ出す虞があることから、従来、貫通孔の大きさを端子部と同じくする、または僅かに小さくすることで、貫通孔と端子部との間に生じる隙間を極力小さくし、樹脂漏れを抑制していた。
【先行技術文献】
【特許文献】
【０００４】
【特許文献１】特開２０００−３３１８６８号公報
【発明の概要】
【発明が解決しようとする課題】
【０００５】
ところが、貫通孔の大きさを端子部と同じくする、または僅かに小さくすると、貫通孔の孔壁と端子部との摩擦が大きくなって、挿通作業に支障をきたすことがあった。
【０００６】
また、貫通孔や端子部の製造誤差等によって、貫通孔と端子部との間に僅かでも隙間が生じると、表面張力（毛細管現象）によって樹脂が漏れ出してしまう虞があり、必ずしも効果的な対策とはいえなかった。
【０００７】
そこで、この発明は、上記課題を解決するためになされたものであって、ケース壁部を貫通させて端子部を引き出す電気部品において、ケース外部への樹脂漏れを防止することのできる樹脂封止電気部品の提供を目的とする。
【課題を解決するための手段】
【０００８】
上記課題を解決するため、本発明の樹脂封止電気部品は、ケース１０に電気部品２０を収納し、電気部品２０に接続された電極板３０の端子部３１を、ケース壁部に設けられた第１の貫通孔１４及びこの第１の貫通孔１４をケース壁部の外側から覆う樹脂貯め部１５に設けられた第２の貫通孔１９に挿通させることで、ケース１０の外部に引き出すとともに、上記第１の貫通孔１４と端子部３１との間の隙間に樹脂４０を介在させ、さらにケース１０内に樹脂５０を充填することで構成されている。
【０００９】
また、第２の貫通孔１９は、ケース壁部とは反対側に向かって孔径を徐々に拡大させる拡大傾斜部１９ｂを備えている。さらに、ケース開口部１３と対向するケース底部１１に、第１の貫通孔１４及び樹脂貯め部１５を設けている。
【発明の効果】
【００１０】
この発明の樹脂封止電気部品によれば、ケース壁部の外側に第１の貫通孔を覆う樹脂貯め部を設け、第１の貫通孔と端子部との間に生じた隙間に樹脂を介在させているため、ケース内に樹脂を充填しても、第１の貫通孔からのケース外部（樹脂貯め部側）への樹脂漏れを防止することができる。また、第２の貫通孔に対して、樹脂が充填される側とは反対側に向かって孔径を徐々に拡大させる拡大傾斜部を設けている、すなわち、第２の貫通孔に端子部を挿通させた状態において、端子部と第２の貫通孔との間に生じる隙間の間隔を、毛細管現象を生じる間隔から毛細管現象を生じない間隔へと連続的に変化させているため、毛細管現象が生じる限界の間隔のところで、表面積を小さくしようとする表面張力により樹脂を止めることができ、第２の貫通孔からのケース外部への樹脂漏れについても防止することができる。従って、樹脂漏れを防止しながらも、ケース底部から端子部を引き出すことができ、ケース底部側に設けられた外部の電気機器等との接続に際して、端子部を最短距離で引き出すことができる。そのため、端子部をケース開口部側からケース底部側へと延出する場合に比べて、端子部の形状を簡素なものとすることができるとともに、電気機器等との接続距離を短くすることもでき、低ＥＳＲ（等価直列抵抗）化や低インダクタンス化を図ることができる。
【図面の簡単な説明】
【００１１】
【図１】本発明の実施形態に係る樹脂封止電気部品を示す斜視図である。
【図２】同じくその樹脂封止電気部品の一部を切り欠いた分解斜視図である。
【図３】同じくその樹脂封止電気部品の断面図である。
【図４】図３の要所拡大図である。
【発明を実施するための形態】
【００１２】
次に、この発明の樹脂封止電気部品の実施形態を図面に基づいて詳細に説明する。この発明の樹脂封止電気部品１は、図１乃至図４に示すように、ケース１０に電気部品２０を収納し、電気部品２０に接続された電極板３０の端子部３１をケース１０の外部に引き出すとともに、樹脂貯め部１５に樹脂４０を充填し、さらにケース１０内に樹脂５０を充填することで構成されている。以下、樹脂封止電気部品１の個々の構成部品について詳細に説明する。
【００１３】
ケース１０は、図１及び図２に示すように、ケース底部１１と、このケース底部１１の４辺からそれぞれケース底部１１と略直交して延出されたケース側壁部１２・・とから構成されており、ケース底部１１と対向する面には、電気部品２０や電極板３０をケース１０の内部空間に収納するための開口部１３が設けられている。
【００１４】
また、ケース底部１１の内側には、図２乃至図４に示すように、ケース１０内部に向かって突出した箇所が設けられ、この突出部１１ａに、電極板３０の端子部３１をケース１０の外部へと引き出すための第１の貫通孔１４が形成されている。第１の貫通孔１４は、図４に示すように、端子部３１を挿通した状態において、ケース底部１１の外面（後述する樹脂貯め部１５側）からケース底部１１の板厚（突出部１１ａを含めた板厚）の凡そ中心付近にかけては、端子部３１の断面形状と略同形状で端子部３１に沿って形成され、ケース底部１１の板厚（突出部１１ａを含めた板厚）の凡そ中心付近からケース底部１１の内面（ケース内側）にかけては、ケース底部１１の内面に向かうに従って端子部３１から離反するように拡大傾斜して形成されている。なお、以後、説明のために、端子部３１に沿って形成され、その孔径が一定とされる部位を直線部１４ａ、端子部３１から離反するようにして拡大傾斜して形成され、その孔径が徐々に拡大される部位を拡大傾斜部１４ｂと称す。
【００１５】
一方、ケース底部１１の外側には、図１乃至図４に示すように、第１の貫通孔１４と端子部３１との間に生じた隙間に樹脂４０を供給するための樹脂貯め部１５が設けられている。樹脂貯め部１５は、図４に示すように、第１の貫通孔１４よりも下方に設けられた樹脂貯め底部１６と、樹脂貯め底部１６のうち、ケース底部１１と接していない３辺から上方に向かって延出された樹脂貯め壁部１７・・とから構成されており、樹脂貯め底部１６と対向する面には、樹脂貯め部１５への樹脂４０の充填を行うための開口部１８が設けられている。すなわち、樹脂貯め部１５は、内部に樹脂４０を充填可能な空間を備えたポケット状とされており、第１の貫通孔１４を外側から覆うようにして設けられていることから、内部空間に樹脂４０を充填することによって、第１の貫通孔１４と、第１の貫通孔１４を貫通し樹脂貯め部１５内に位置された端子部３１とを樹脂４０内に埋設できるようになっている。
【００１６】
また、ケース底部１１と対向する樹脂貯め壁部１７には、図２乃至図４に示すように、第１の貫通孔１４と対向する位置に、端子部３１を挿通するための第２の貫通孔１９が形成されている。第２の貫通孔１９は、図４に示すように、端子部３１を挿通した状態において、樹脂貯め壁部１７の内面１７ａ（樹脂４０が充填される側であり且つケース底部１１側）から樹脂貯め壁部１７の板厚の凡そ中心付近にかけては、端子部３１の断面形状と略同形状で端子部３１に沿って形成され、樹脂貯め壁部１７の板厚の凡そ中心付近から樹脂貯め壁部１７の外面１７ｂ（樹脂４０が充填されない側であり且つケース底部１１とは反対側）にかけては、樹脂貯め壁部１７の外面１７ｂに向かうに従って端子部３１から離反するように拡大傾斜して形成されている。すなわち、第２の貫通孔１９においても直線部１９ａと拡大傾斜部１９ｂとが設けられているのである。
【００１７】
なお、ケース側壁部１２の内面側には、図２に示すように、ケース１０内での電気部品２０や電極板３０の位置決めを容易にするためのリブ部１２ａが設けられている。なお、図２において、リブ部１２ａは２個設けられているが、１個でも３個以上であっても良い。また、４個のケース側壁部１２・・のうち、１個のケース側壁部１２にのみリブ部１２ａが形成されているが、いずれか２個又は３個のケース側壁部１２に設けても良く、全てのケース側壁部１２に設けるようにしても良い。
【００１８】
電気部品２０は、例えば絶縁性のフィルム上に金属が蒸着された金属化フィルムを巻回することでなるフィルムコンデンサであって、図２に示すように、軸方向両端面に金属を溶射してなる電極部２１、２１が形成されており、この電極部２１に電極板３０をそれぞれ接続することで電極板３０と一体とされる。なお、電気部品２０としてはフィルムコンデンサに限らず、種々のコンデンサを用いても良いし、また、コンデンサに限るものでもなく、種々の電気部品を用いても良い。
【００１９】
電極板３０は、図２に示すように、相反する方向に延出された２個の端子部３１、３１と、これら端子部３１、３１の基台となるとともに、電気部品２０との接続に供される平板状の本体部３２とから構成されている。なお、第１、第２の貫通孔１４、１９に挿通される端子部３１（以下、一方の端子部３１と称す）には、樹脂貯め部１５の開口部１８と対向する位置に、樹脂貯め底部１６側への樹脂４０の流れ込みを許容するための貫通孔３３が形成されている。また、本体部３２には、電気部品２０との接続に使用する接続孔３４が、端子部３１には、外部の電気機器等との接続に使用する接続孔３５がそれぞれ形成されている。
【００２０】
樹脂貯め部１５内に充填される樹脂４０やケース１０内に充填される樹脂５０は、同種の例えばエポキシ樹脂からなる。なお、樹脂貯め部１５内に充填される樹脂４０は、第１の貫通孔１４と端子部３１との間に生じた隙間に介在することを目的とする隙間閉塞用樹脂であり、ケース１０内に充填される樹脂５０は、電気部品２０や電極板３０を樹脂封止することを目的とする封止用樹脂であることから、同種の樹脂を用いる必要はなく、それぞれの目的を達成するに好適な樹脂を用いても良い。
【００２１】
次に、この発明の樹脂封止電気部品１の組立について詳細に説明する。樹脂封止電気部品１を組み立てるにあたっては、まず、電気部品２０の電極部２１、２１と２枚の電極板３０、３０の本体部３２、３２とを例えば半田等によってそれぞれ接続することで電気部品２０と電極板３０とを一体にする。そして、この一体とされた電気部品２０及び電極板３０を、一方の端子部３１が第１の貫通孔１４に挿通されるようにして、一方の端子部３１側からケース１０内に収納していく。なお、ケース側壁部１２の内面側にリブ部１２ａが設けられ、ケース１０内での電気部品２０及び電極板３０の動き（図２において特に下方向への動き）が規制されている、すなわち、リブ部１２ａが位置決めとして機能しているため、一方の端子部３１を第１の貫通孔１４に挿入し易くなっている。
【００２２】
一方の端子部３１を第１の貫通孔１４に挿入させた後、さらに電気部品２０及び電極板３０をケース１０内部へと押し込むことで、一方の端子部３１を、第１の貫通孔１４から樹脂貯め部１５を経て第２の貫通孔１９からケース１０の外部へと突出させる。なお、電気部品２０及び電極板３０をある程度、ケース１０内部に向かって押し込むと、ケース底部１１の内側に設けられた突出部１１ａに電極板３０が当接するようになっている、すなわち、突出部１１ａが位置決めとして機能するため、電気部品２０及び電極板３０を単に押し込むだけの簡単な作業によって、一方の端子部３１の引き出し長さを一定にすることができるようになっている。なお、他方の端子部３１においては、図３に示すように、電気部品２０及び電極板３０がケース１０に収納された状態において、ケース開口部１３からケース１０の外部へと引き出されるようになっている。
【００２３】
一方の端子部３１をケース１０の外部へと引き出した後、ケース１０内に樹脂５０を充填する以前に、樹脂貯め部１５に樹脂４０を充填していく。この際、樹脂貯め部１５に充填された樹脂４０は、一方の端子部３１に設けられた貫通孔３３を通って樹脂貯め底部１６にまで浸透する。そのため、端子部３１の外周に樹脂４０を行き渡らせることができ、端子部３１と第１の貫通孔１４との間に生じた隙間や、端子部３１と第２の貫通孔１９との間に生じた隙間に樹脂４０を介在させる（樹脂４０によって塞ぐ）ことができるようになっている。なお、第２の貫通孔１９には、樹脂４０が充填される側とは反対側（樹脂貯め部１５の外側）に拡大傾斜部１９ｂが形成されている、すなわち、端子部３１と第２の貫通孔１９との間に生じた隙間の間隔を、毛細管現象を生じる間隔から毛細管現象を生じない間隔へと連続的に変化させているため、毛細管現象が生じる限界の間隔のところで、表面積を小さくしようとする表面張力によって樹脂４０を止めることができ、第２の貫通孔１９からのケース１０外部への樹脂漏れを確実に防止することができる。さらに、第１の貫通孔１４においても、樹脂４０が充填される側とは反対側（ケース１０内側）に拡大傾斜部１４ｂが形成されているため、第２の貫通孔１９と同様の理由により、第１の貫通孔１４からのケース１０内側への樹脂漏れを防止することができる。
【００２４】
そして、樹脂貯め部１５に充填した樹脂４０が硬化した後、ケース１０内部に樹脂５０を充填し、電気部品２０や電極板３０を樹脂封止することで、樹脂封止電気部品１の組立が完了するが、上述したように、第１の貫通孔１４と端子部３１との間に生じた隙間が、予め樹脂貯め部１５に充填された樹脂４０によって塞がれているため、第１の貫通孔１４からケース１０の外部（樹脂貯め部１５側）へと樹脂５０が漏れ出す虞はない。
【００２５】
また、上記構成の樹脂封止電気部品１では、ケース底部１１を貫通させることでケース１０の外部へと端子部３１を引き出す構成である、すなわち、ケース底部１１側に設けられた外部の電気機器等との接続に際して、端子部３１を最短距離で引き出す構成とされているため、端子部３１をケース開口部１３側からケース底部１１側へと延出する場合に比べて、端子部３１の形状を簡素なものとすることができるとともに、電気機器等との接続距離を短くすることもでき、低ＥＳＲ（等価直列抵抗）化や低インダクタンス化を図ることができる。
【００２６】
以上に、この発明の具体的な実施形態について説明したが、この発明は上記実施形態に限定されるものではなく、この発明の範囲内で種々変更して実施することが可能である。例えば、上記実施例においては、ケース底部１１から一方の端子部３１をケース１０の外部に引き出していたが、ケース側壁部１２から端子部３１をケース１０の外部に引き出すようにしても良い。また、上記実施例においては、第１の貫通孔１４においても、直線部１４ａと拡大傾斜部１４ｂとを備えていたが、樹脂貯め部１５に予め充填される樹脂４０のケース１０内側への漏れを許容する場合には、拡大傾斜部１４ｂを設ける必要はない。この場合においても、表面張力によって直線部１４ａに樹脂４０が残留することとなるため、第１の貫通孔１４と端子部３１との間に生じる隙間を樹脂４０によって塞ぐことができ、第１の貫通孔１４からのケース１０外部への樹脂漏れを防止することができる。さらに、第２の貫通孔１９においても、拡大傾斜部１９ｂを設けなくても良い。これは、樹脂貯め部１５の容量がケース１０の容量に比べて小であり、また、第２の貫通孔１９から樹脂４０の液面までの距離が、第１の貫通孔１４から樹脂５０の液面までの距離に比べて小であることから、第１の貫通孔１４に比べて樹脂漏れし難く、また、たとえ樹脂漏れが生じたとしても漏れ出す樹脂の量が限定的であるからである。
【００２７】
また、上記実施例においては、一方の端子部３１に、樹脂貯め部１５の開口部１８側と底部１６側とを連通するための貫通孔３３が設けられていたが、貫通孔３３を設けるかわりに、例えば端子部３１に一部切欠を設けて、端子部３１と端子部３１の両側に位置する樹脂貯め壁部１７、１７との間に隙間を設けることで、樹脂貯め底部１６側への樹脂４０の流れ込みを許容するようにしても良い。また、図４において、樹脂貯め底部１６の内側面と端子部３１の下側面との間に樹脂４０を充填するに十分な間隔（空間）が形成されていたが、図４の一点鎖線で囲まれている部分に示すように、樹脂貯め底部１６の内側面と端子部３１の下側面との間に僅かな隙間が形成されるだけでも良い。この場合、ケース１０を形成するための金型構造を簡素化することができるとともに、樹脂量低減を図ることができる。なお、上記構成においても、樹脂貯め底部１６の内側面と端子部３１の下側面との間に樹脂４０が滲むため、端子部３１と第１の貫通孔１４との間に生じた隙間や、端子部３１と第２の貫通孔１９との間に生じた隙間を樹脂４０によって塞ぐことができる。また、第１、第２の貫通孔１４、１９において直線部１４ａ、１９ａと拡大傾斜部１４ｂ、１９ｂの長さがそれぞれ板厚の凡そ半分とされていたが、いずれか一方が大とされても良い。なお、直線部１４ａ、１９ａや拡大傾斜部１４ｂ、１９ｂを複数設けても良い。すなわち、直線部１４ａ、１９ａの後、拡大傾斜部１４ｂ、１９ｂを設け、さらに拡大傾斜部１４ｂ、１９ｂの外側に直線部１４ａ、１９ａを設けるような構成や、直線部１４ａ、１９ａの後、拡大傾斜部１４ｂ、１９ｂを連続して複数個設ける構成としても良い。このような場合でも、拡大傾斜部１４ｂ、１９ｂによって、毛細管現象の発生を抑制することができるため、樹脂漏れを防止することができる。
【符号の説明】
【００２８】
１・・樹脂封止電気部品、１０・・ケース、１１・・ケース底部、１３・・ケース開口部、１４・・第１の貫通孔、１５・・樹脂貯め部、１９・・第２の貫通孔、１９ｂ・・拡大傾斜部、２０・・電気部品、３０・・電極板、３１・・端子部、４０、５０・・樹脂
【図１】
0005806625.tif 000002
【図２】
0005806625.tif 000003
【図３】
0005806625.tif 000004
【図４】
0005806625.tif 000005